【手続補正書】
【提出日】平成17年6月23日(2005.6.23)
【手続補正１】
【補正対象書類名】特許請求の範囲
【補正対象項目名】全文
【補正方法】変更
【補正の内容】
【特許請求の範囲】
【請求項１】
ＡxＡ’1-xＭyＭ’1-yＯ3
ここで、
ＡおよびＡ’の各々は、II族、III族、IV族およびランタニド金属から独立して選択され、
ＭおよびＭ’は、各々について独立して遷移金属であり、
ｘは０から１までの整数または分数であり、
ｙは０から１までの整数または分数である、
の遷移金属酸化物を有してなるナノワイヤ。
【請求項２】
前記遷移金属が四価であることを特徴とする請求項１記載のナノワイヤ。
【請求項３】
ＭおよびＭ’が、Ｔｉ，Ｚｒ，Ｍｎ，ＴｃおよびＲｅからなる群より独立して選択されることを特徴とする請求項１または２記載のナノワイヤ。
【請求項４】
ＡxＡ’1-xＭyＭ’1-yＯ3
ここで、
ＡおよびＡ’の各々は、II族およびIV族金属から独立して選択され、
ＭおよびＭ’の各々は、独立してIVB族金属であり、
ｘは０から１までの整数または分数であり、
ｙは０から１までの整数または分数である、
の遷移金属酸化物を有してなるナノワイヤ。
【請求項５】
前記II族およびIV族金属が、Ｂａ，ＰｂおよびＳｒからなる群より選択されることを特徴とする請求項４記載のナノワイヤ。
【請求項６】
前記IVB族金属が、ＴｉおよびＺｒからなる群より選択されることを特徴とする請求項５記載のナノワイヤ。
【請求項７】
ｘが約１であり、ｙが約０であることを特徴とする請求項４から６いずれか１項記載のナノワイヤ。
【請求項８】
ＡがＢａであることを特徴とする請求項７記載のナノワイヤ。
【請求項９】
ｘが約０であり、ｙが約１であることを特徴とする請求項４から６いずれか１項記載のナノワイヤ。
【請求項１０】
ＭがＴｉまたはＺｒであることを特徴とする請求項９記載のナノワイヤ。
【請求項１１】
遷移金属酸化物を有してなるナノワイヤであって、前記遷移金属酸化物が、ＢａＴｉＯ3、ＰｂＺｒＯ3、ＰｂＺｒyＴｉ1-yＯ3およびＢａxＳｒ1-xＴｉＯ3からなる群より選択され、ｘは０から１までの整数または分数であり、ｙは０から１までの整数または分数であることを特徴とするナノワイヤ。
【請求項１２】
ＡxＡ’1-xＭＯ3
ここで、
Ａはランタニド金属であり、
Ａ’は二価金属であり、
Ｍは四価遷移金属であり、
ｘは０から１までの整数または分数である、
により表される遷移金属酸化物を有してなるナノワイヤ。
【請求項１３】
Ｍが、Ｍｎ，ＴｃおよびＲｅからなる群より選択されることを特徴とする請求項１２記載のナノワイヤ。
【請求項１４】
Ａ’がII族金属であることを特徴とする請求項１２記載のナノワイヤ。
【請求項１５】
Ａ’がＣａであることを特徴とする請求項１４記載のナノワイヤ。
【請求項１６】
ＡがＬａであることを特徴とする請求項１２記載のナノワイヤ。
【請求項１７】
ｘが約１であることを特徴とする請求項１６記載のナノワイヤ。
【請求項１８】
ｘが約０であることを特徴とする請求項１５記載のナノワイヤ。
【請求項１９】
前記ナノワイヤの直径が約５０ｎｍ未満であることを特徴とする請求項１から１０いずれか１項記載のナノワイヤ。
【請求項２０】
前記ナノワイヤの長さが約１００ｎｍより長いことを特徴とする請求項１から１９いずれか１項記載のナノワイヤ。
【請求項２１】
遷移金属酸化物を有してなるナノワイヤであって、前記遷移金属酸化物が、ＬａＭｎＯ3、ＣａＭｎＯ3、およびＬａ1-xＣａxＭｎＯ3からなる群より選択され、ｘは０から１までの整数または分数であることを特徴とするナノワイヤ。
【請求項２２】
遷移金属酸化物ナノワイヤの調製方法であって、
a)  溶媒、配位子、および前駆体金属アルコキシドまたは金属塩を含む溶液中に分解剤を注入し、
b)  前記溶液を加熱する、
各工程を有してなる方法。
【請求項２３】
前記前駆体金属アルコキシドがＡＭアルコキシドからなり、Ａが二価金属であり、Ｍが四価遷移金属であることを特徴とする請求項２２記載の方法。
【請求項２４】
一般化学式
ＡxＡ’1-xＭyＭ’1-yＯ3
ここで、
ＡおよびＡ’の各々は、II族およびIV族金属から独立して選択され、
ＭおよびＭ’の各々は、独立してIVB族金属であり、
ｘは０から１までの整数または分数であり、
ｙは０から１までの整数または分数である、
の遷移金属酸化物の調製方法であって、
a)  溶媒および前駆体金属アルコキシドまたは金属塩を含む溶液中に分解剤を注入し、
b)  前記溶液を加熱する、
各工程を有してなる方法。
【請求項２５】
前記前駆体アルコキシドがＡＭアルコキシドからなることを特徴とする請求項２４記載の方法。
【請求項２６】
前記溶液が別の前駆体Ａ’Ｍ’アルコキシドまたは金属塩をさらに含むことを特徴とする請求項２３または２５記載の方法。
【請求項２７】
前記前駆体アルコキシドが二金属アルコキシドであることを特徴とする請求項２２または２４記載の方法。
【請求項２８】
前記前駆体アルコキシドが、金属イソプロポキシドおよび二金属イソプロポキシドからなる群より選択されることを特徴とする請求項２２または２４記載の方法。
【請求項２９】
前記前駆体アルコキシドが、ＢａＴｉ［ＯＣＨ（ＣＨ3）2］6およびＳｒＴｉ［ＯＣＨ（ＣＨ3）2］6からなる群より選択されることを特徴とする請求項２８記載の方法。
【請求項３０】
一般化学式
ＡxＡ’1-xＭＯ3
ここで、
Ａはランタニド金属であり、
Ａ’は二価金属であり、
Ｍは四価遷移金属であり、
ｘは０から１までの整数または分数である、
の遷移金属酸化物の調製方法であって、
a)  溶媒および前駆体金属アルコキシドまたは金属塩を含む溶液中に分解剤を注入し、
b)  前記溶液を加熱する、
各工程を有してなる方法。
【請求項３１】
前記前駆体金属塩がＭＸの形態を持ち、Ｍが三価または四価金属であり、Ｘが酸または塩基であることを特徴とする請求項３０記載の方法。
【請求項３２】
前記前駆体アルコキシドがＭｎアルコキシドであることを特徴とする請求項３０記載の方法。
【請求項３３】
前記前駆体アルコキシドがＭｎ（ＯＡｃ）2・４Ｈ2Ｏであることを特徴とする請求項２２または３２記載の方法。
【請求項３４】
前記前駆体金属塩が、Ａ’（ＮＯ3）3・ｍＨ2ＯおよびＡ（ＮＯ3）3・ｍＨ2Ｏからなる群より選択され、ｍが１から１０までの整数であることを特徴とする請求項３１記載の方法。
【請求項３５】
Ａ’がＬａであり、ＡがＣａであり、ｍが６であることを特徴とする請求項３４記載の方法。
【請求項３６】
前記溶液を約２００℃より高く加熱することを特徴とする請求項２２、２３または３３０から３５いずれか１項記載の方法。
【請求項３７】
前記溶媒が有機溶媒であることを特徴とする請求項２２から３５いずれか１項記載の方法。
【請求項３８】
前記有機溶媒が、脂肪族化合物、芳香族化合物、およびアルキルからなる群より選択されることを特徴とする請求項３７記載の方法。
【請求項３９】
前記有機溶媒が高級アルキルであることを特徴とする請求項３８記載の方法。
【請求項４０】
前記有機溶媒がヘプタデカンであることを特徴とする請求項３９記載の方法。
【請求項４１】
前記配位子が両親媒性化合物からなることを特徴とする請求項２２から４０いずれか１項記載の方法。
【請求項４２】
前記配位子がアミンからなることを特徴とする請求項２２から４０いずれか１項記載の方法。
【請求項４３】
前記配位子が、長鎖アルキル部分を持つアルキルアミンであることを特徴とする請求項４２記載の方法。
【請求項４４】
前記配位子が、ビス（２−エチルヘキシル）アミン、トリドデシルアミン、パルミチン酸、トリヘキシルアミン、トリデシルアミン、ラウリン酸、オレイン酸、およびトリオクチルアミンからなる群より選択されることを特徴とする請求項２２から４３いずれか１項記載の方法。
【請求項４５】
前記分解剤が酸化剤であることを特徴とする請求項２２から４４いずれか１項記載の方法。
【請求項４６】
前記分解剤が、過酸化物、塩素酸塩、過塩素酸塩、硝酸塩、過マンガン酸塩、および水からなる群より選択されることを特徴とする請求項４５記載の方法。
【請求項４７】
前記分解剤が、過酸化水素および水からなる群より選択されることを特徴とする請求項４６記載の方法。